(57)【要約】      （修正有）【課題】双方が相手の状況に配慮してコミュニケーションを行う。【解決手段】端末Ａには、メッセージの編集・作成中の状態を伝達過程として相手の端末Ｂに報知しつつメッセージを作成して送信するメッセージ送信手段２と、リアルタイムに双方向通信を行うライブコミュニケーション送受信部４と、メッセージ送信手段２によるメッセージの送信とライブコミュニケーション送受信部３によるリアルタイムな双方向通信とを切り替えるライブコミュニケーション切替部３とを備えた。一方、端末Ｂには、端末Ａで作成されたメッセージを受信して再生するメッセージ受信手段７と、リアルタイムに双方向通信を行うライブコミュニケーション送受信部４と、メッセージ受信手段によるメッセージの受信とライブコミュニケーション送受信部４によるリアルタイムな双方向通信とを切り替えるライブコミュニケーション切替部３とを備えた。【選択図】図１
2006140748.tif 000002
【特許請求の範囲】
【請求項１】
コミュニケーションの開始を相手の通信端末装置から要求された場合には自らの端末状態に応じてメッセージの受信またはリアルタイムな双方向通信を行い、コミュニケーションの開始を相手の通信端末装置に要求する場合には相手の通信端末装置の端末状態に応じてメッセージの送信またはリアルタイムな双方向通信を行う通信端末装置であって、
メッセージの編集・作成中の状態を伝達過程として相手の通信端末装置に報知しつつメッセージを作成して送信し、相手の通信端末装置で作成されたメッセージを受信して再生するメッセージ送受信手段と、
リアルタイムに双方向通信を行うライブコミュニケーション送受信部と、
前記メッセージ送受信手段によるメッセージの送受信と前記ライブコミュニケーション送受信部によるリアルタイムな双方向通信とを切り替える切替手段と、
を備えたことを特徴とする通信端末装置。
【請求項２】
前記メッセージ送受信手段は、
メッセージの作成時に入力したメッセージを編集可能にしたメッセージ編集部と、
このメッセージ編集部により作成されたメッセージを相手の通信端末装置に送信するメッセージ送信部と、
前記メッセージ編集部によるメッセージの編集・作成中の状態を伝達過程として相手の通信端末装置に送信する伝達過程送信部と、
相手の通信端末装置の前記伝達過程送信部から送信された伝達過程を受信して、相手の通信端末装置の前記メッセージ編集部によるメッセージの編集・作成時の状態をリアルタイムで伝達過程として報知する伝達過程受信部と、
相手の通信端末装置の前記メッセージ送信部から送信されたメッセージを受信するメッセージ受信部と、
このメッセージ受信部により受信したメッセージを再生するメッセージ再生部と、
を備えたことを特徴とする請求項１に記載の通信端末装置。
【請求項３】
前記切替手段は、
相手の通信端末装置がメッセージ受信を指定している場合にはメッセージを作成してメッセージを送信するメッセージ送信とし、ライブコミュニケーション送受信を指定している場合にはリアルタイムな双方向通信とすることを特徴とする請求項１または請求項２に記載の通信端末装置。
【請求項４】
前記切替手段は、
自らの通信端末装置の端末状態が、メッセージ受信を指定している場合にはメッセージの受信とし、ライブコミュニケーション送受信を指定している場合にはリアルタイムな双方向通信とすることを特徴とする請求項１から請求項３までのいずれか１項に記載の通信端末装置。
【請求項５】
前記切替手段がメッセージ受信を指定している場合に、ライブコミュニケーション要求の入力を受けたときに、ライブコミュニケーションに切り替えるライブコミュニケーション要求部を備えたことを特徴とする請求項４に記載の通信端末装置。
【請求項６】
コミュニケーションの開始を相手の通信端末装置から要求された場合には自らの端末状態に応じてメッセージの受信またはリアルタイムな双方向通信を行い、コミュニケーションの開始を相手の通信端末装置に要求する場合には相手の通信端末装置の端末状態に応じてメッセージの送信またはリアルタイムな双方向通信を行う通信端末装置のコミュニケーション方法であって、
メッセージの編集・作成中の状態を伝達過程として相手の通信端末装置に報知するステップと、
伝達過程を報知しつつメッセージを作成するステップと、
作成したメッセージを相手の通信端末に送信するステップと、
を実行することを特徴とするコミュニケーション方法。
【請求項７】
メッセージの編集・作成中の通信端末装置から伝達過程が送信された場合には、その伝達過程をリアルタイムで受信して報知するステップと、
作成されたメッセージを相手の通信端末から受信するステップと、
受信したメッセージを再生するステップと、
を実行することを特徴とする請求項６に記載のコミュニケーション方法。
【請求項８】
メッセージの送受信時には、リアルタイムな双方向通信を行うライブコミュニケーションに、メッセージの受け手側の通信端末装置の端末状態に応じて切り替えるステップと、
リアルタイムな双方向通信によりライブコミュニケーションを行うステップと、
を実行することを特徴とする請求項７に記載のコミュニケーション方法。
【請求項９】
請求項６から請求項８のいずれか１項に記載のコミュニケーション方法をコンピュータが実行することを特徴とするコミュニケーションプログラム。
【発明の詳細な説明】
【技術分野】
【０００１】
本発明は、離れた２地点間で通信によりコミュニケーションを行うためのものである。
【背景技術】
【０００２】
従来の通信端末装置としては、２地点間でのコミュニケーションを音声のみで行う電話や音声および映像を用いるテレビ電話が知られている（例えば、非特許文献１参照）。また、これらの通信端末装置は、リアルタイムなコミュニケーション手段であるため、受け手が留守などで通信を行うことができない場合に、メッセージを録音して受け手側にメッセージを残す留守番電話機能が備えられているものがある。また、リアルタイムでないコミュニケーション手段としては、電子メールサービスが知られている。
【非特許文献１】「対応機器紹介（フレッツフォン VP1000）」、[online]、東日本電信電話株式会社、［平成16年10月14日検索］、インターネット<URL:http://www.fletsphone.com/products/vp1000#function.html>
【発明の開示】
【発明が解決しようとする課題】
【０００３】
しかし、電話やテレビ電話に代表される通信端末装置は、リアルタイムなコミュニケーション手段であるため、受け手（相手）の状況に配慮することなく、相手を呼び出す必要があり、相手の状況によっては、コミュニケーションを図ることができない欠点がある。
そのため、留守番電話機能を備えた通信端末装置では、相手の都合の悪いときに送り手のメッセージを残すようにしてコミュニケーションを図るようにしている。この留守番電話機能は、受け手の都合により留守を装うこともできるが、発信者側が相手の状況に配慮できないことには変わりがない。また、留守番電話機能を備えた通信端末装置は、送り手側からみると、メッセージをリアルタイムに録音するものであるため、一端録音したメッセージを編集することができず、不便であり、意図するメッセージを完成できないこともあるという欠点があった。一方、電子メールサービスは、相手の状況に配慮して、コミュニケーションを図ることができるが、リアルタイムなコミュニケーションにつながりにくいという欠点があった。
【０００４】
そこで、本発明は、前記欠点をなくすことを課題とし、双方が相手の状況に配慮してコミュニケーションを行うことが可能な通信端末装置、コミュニケーション方法およびそのプログラムを提供することを目的とする。
【課題を解決するための手段】
【０００５】
本発明は、前記課題を解決するための手段として、コミュニケーションの開始を相手の通信端末装置から要求された場合には自らの端末状態に応じてメッセージの受信またはリアルタイムな双方向通信を行い、コミュニケーションの開始を相手の通信端末装置に要求する場合には相手の通信端末装置の端末状態に応じてメッセージの送信またはリアルタイムな双方向通信を行う通信端末装置であって、メッセージの編集・作成中の状態を伝達過程として相手の通信端末装置に報知しつつメッセージを作成して送信し、相手の通信端末装置で作成されたメッセージを受信して再生するメッセージ送受信手段と、リアルタイムに双方向通信を行うライブコミュニケーション送受信部と、前記メッセージ送受信手段によるメッセージの送受信と前記ライブコミュニケーション送受信部によるリアルタイムな双方向通信とを切り替える切替手段と、を備えるようにした。
【０００６】
前記メッセージ送受信手段は、メッセージの作成時に入力したメッセージを編集可能にしたメッセージ編集部と、このメッセージ編集部により作成されたメッセージを相手の通信端末装置に送信するメッセージ送信部と、前記メッセージ編集部によるメッセージの編集・作成中の状態を伝達過程として相手の通信端末装置に送信する伝達過程送信部と、相手の通信端末装置の前記伝達過程送信部から送信された伝達過程を受信して、相手の通信端末装置の前記メッセージ編集部によるメッセージの編集・作成時の状態をリアルタイムで伝達過程として報知する伝達過程受信部と、相手の通信端末装置の前記メッセージ送信部から送信されたメッセージを受信するメッセージ受信部と、このメッセージ受信部により受信したメッセージを再生するメッセージ再生部と、を備えるようにするのが好ましい。
【０００７】
前記切替手段は、相手の通信端末装置がメッセージ受信を指定している場合にはメッセージを作成してメッセージを送信するメッセージ送信とし、ライブコミュニケーション送受信を指定している場合にはリアルタイムな双方向通信とするのが好ましい。
また、前記切替手段は、自らの通信端末装置の端末状態が、メッセージ受信を指定している場合にはメッセージの受信とし、ライブコミュニケーション送受信を指定している場合にはリアルタイムな双方向通信としてもよい。
さらに、前記切替手段がメッセージ受信を指定している場合に、ライブコミュニケーション要求の入力を受けたときに、ライブコミュニケーションに切り替えるライブコミュニケーション要求部を備えてもよい。
【０００８】
また、本発明は、前記課題を解決するための手段として、コミュニケーションの開始を相手の通信端末装置から要求された場合には自らの端末状態に応じてメッセージの受信またはリアルタイムな双方向通信を行い、コミュニケーションの開始を相手の通信端末装置に要求する場合には相手の通信端末装置の端末状態に応じてメッセージの送信またはリアルタイムな双方向通信を行う通信端末装置のコミュニケーション方法であって、メッセージの編集・作成中の状態を伝達過程として相手の通信端末装置に報知するステップと、伝達過程を報知しつつメッセージを作成するステップと、作成したメッセージを相手の通信端末に送信するステップと、を実行するようにした。
【０００９】
さらに、コミュニケーション方法は、メッセージの編集・作成中の通信端末装置から伝達過程が送信された場合には、その伝達過程をリアルタイムで受信して報知するステップと、作成されたメッセージを相手の通信端末から受信するステップと、受信したメッセージを再生するステップと、を実行するようにした。
なお、メッセージの送受信時には、リアルタイムな双方向通信を行うライブコミュニケーションに、メッセージの受け手側の通信端末装置の端末状態に応じて切り替えるステップと、リアルタイムな双方向通信によりライブコミュニケーションを行うステップと、を実行することが好ましい。
また、本発明は、前記課題を解決するための手段として、コンピュータがコミュニケーション方法を実行するコミュニケーションプログラムを提供する。
【００１０】
これにより、メッセージの編集・作成の状態を伝達過程として、相手の通信端末装置に伝達して報知するため、相手の通信端末装置のユーザがメッセージの編集・作成中であることを確認することができるようになる。
【発明の効果】
【００１１】
そのため、本発明は、メッセージの送り手にとっては、編集しながらメッセージを作成することができるため、希望どおりのメッセージを相手に送ることができるようになる。また、メッセージの受け手にとっては、メッセージの編集・作成作業を通じて相手を認識することができるため、希望に応じてライブコミュニケーションによるリアルタイムな双方向通信に移行することもできるようになる。したがって、双方が自らの状況または相手の状況に配慮してコミュニケーションを行うことができる効果が得られる。
【発明を実施するための最良の形態】
【００１２】
以下、本発明の第１および第２実施形態について図面を参照して説明する。
[第１実施形態]
まず、図１に従って、通信端末装置の構成を説明する。ここでは、発信の開始側（送り手）の通信端末装置（以下「端末Ａ」）から発信の受け手側の通信端末装置（以下「端末Ｂ」）に向けてコミュニケーションを図る場合を説明する。そこで、以下では、便宜上、端末Ａが発信元としての構成を備え、端末Ｂが受信先としての構成を備えるものとして説明するが、端末Ａおよび端末Ｂともに同一の構成を備えるようにするのが好ましい。なお、端末Ａと端末Ｂとは、図示しない有線・無線の各種ネットワークを介して接続している。そして、端末Ａと端末Ｂとの間では、後記するとおり、端末状態のデータ、編集過程のデータ、編集後メッセージのデータ、要求信号、ライブコミュニケーションのデータが、それぞれやりとりされる。各データには、それぞれを識別するヘッダが含まれている。
【００１３】
[端末Ａの構成]
端末Ａは、発信元としての機能を実現するために、端末状態問合せ部１と、メッセージ送信手段２と、ライブコミュニケーション切替部３と、ライブコミュニケーション送受信部４と、音声を入力するマイク５１と、音声を出力するスピーカ５２とを主に備えている。以下、マイク５１およびスピーカ５２以外の各部について説明する。
【００１４】
端末状態問合せ部１は、コミュニケーションの開始時に、受信元の端末Ｂに、メッセージ送信か、あるいは、ライブコミュニケーション送受信かの端末状態を問合せるものである。
なお、端末状態は、この実施形態では「接続可能か否か」を表す２値の情報である。例えば、この端末状態は、ライブコミュニケーションを行う通信許可モードと、メッセージ送受信を行う待機モードと、メッセージ送受信およびライブコミュニケーションの両方を行わない拒否モードとの各モードにより表すことができる。なお、端末状態問合せ部１は、端末Ａと端末Ｂとの間の回線のネゴシエーションも行う。
【００１５】
メッセージ送信手段２は、端末Ｂの端末状態がメッセージ受信の場合に、編集させつつメッセージを作成して、端末Ｂに送信するものである。このメッセージ送信手段２は、伝達過程送信部２１と、メッセージ編集部２２と、メッセージ記録部２３と、メッセージ送信部２４と、メッセージ送信指令入力部２５と、を備えている。
【００１６】
伝達過程送信部２１は、メッセージの編集・作成中の状態を端末Ｂに伝達過程として送信するものである。例えば、端末Ａでのメッセージの編集・作成処理に応じて、「メッセージを入力中です。」「メッセージが削除されました。」などのメッセージを端末Ｂ側に送信し、端末Ｂのスピーカ５２から音声出力させるものである。また、これと共に、編集中のメッセージを随時端末Ｂに送信する。したがって、端末Ｂでは、編集中のメッセージも、その編集過程を含めて伝達過程として確認することができる。
メッセージ編集部２２は、メッセージを作成するものであり、一旦入力したメッセージを編集可能になっている。例えば、音声入力されたメッセージを削除し、再度、メッセージを入力させる。
【００１７】
メッセージ記録部２３は、メッセージ編集部２２で作成されたメッセージを記録し、記録したメッセージを随時メッセージ送信部２４に渡すものである。そのため、メッセージ記録部２３には、メッセージ編集部２２で作成されたメッセージが随時記録される。そして、メッセージ記録部２３は、メッセージ編集部２２でメッセージの編集が行われた場合に、変更されたメッセージが随時記録される。
メッセージ送信部２４は、メッセージ記録部２３に記録された編集・作成確定後のメッセージを読み出して、端末Ｂに送信するものである。
メッセージ送信指令入力部２５は、図示しない入力デバイスから入力される確定メッセージ（編集完了）の送信指令をメッセージ送信部２４に渡し、メッセージ送信部２４によりメッセージ記録部２３に記録されているメッセージを読み出させ、端末Ｂに送信させるものである。
【００１８】
ライブコミュニケーション切替部３は、端末状態問合せ部１の問合せ結果や端末Ｂから送信されるライブコミュニケーション送受信の要求信号に基づいてライブコミュニケーション送受信かメッセージ送信かを切り替えるものである。
ライブコミュニケーション送受信部４は、端末Ｂ側とリアルタイムに双方向通信を行うものである。ここでは、音声による通話が行われる。
【００１９】
[端末Ｂ]
端末Ｂは、受信先としての機能を実現するために、端末状態確認部６と、メッセージ受信手段７と、ライブコミュニケーション要求部８と、ライブコミュニケーション要求信号入力部９と、前記したライブコミュニケーション切替部３と、ライブコミュニケーション送受信部４と、マイク５１と、スピーカ５２とを主に備えている。以下、端末Ａと異なる構成について説明する。
【００２０】
端末状態確認部６は、端末Ａの端末状態問合せ部１からの問合せに従って、自らの端末Ｂの端末状態を確認し、端末Ａに返信するものである。端末状態の確認は、前記した各モードの設定を確認することで行う。各モードの設定は、図示しない記憶手段（メモリなど）に保持しておけばよい。
【００２１】
メッセージ受信手段７は、端末状態がメッセージ受信モードの場合に、端末Ａから送信されるメッセージを受信し、再生するものである。このメッセージ受信手段７は、伝達過程受信部７１と、メッセージ受信部７２と、メッセージ記録部７３と、メッセージ再生部７４とを備えている。
伝達過程受信部７１は、受信した伝達過程をリアルタイムでスピーカ５２から音声出力するものである。
【００２２】
メッセージ受信部７２は、端末Ａから送信される編集後のメッセージを受信し、メッセージ記録部７３に記録するものである。
メッセージ記録部７３は、受信したメッセージを記録し、適宜メッセージ再生部７４にメッセージを読み出させるものである。
メッセージ再生部７４は、受信した編集後のメッセージをスピーカ５２から適宜再生して、端末Ｂのユーザに報知するものである。
【００２３】
ライブコミュニケーション要求部８は、ライブコミュニケーションの要求信号を端末Ａに送信すると共に、ライブコミュニケーション切替部３をライブコミュニケーションモードに切り替えさせるものである。
ライブコミュニケーション送信要求入力部９は、図示しない入力デバイスから入力されるライブコミュニケーション送信要求指令をライブコミュニケーション要求部８に渡すものである。
【００２４】
[端末Ａの処理]
以下、図２に示すフローチャートに従って、図１を適宜参照しつつ端末Ａの処理を説明する。
まず、端末Ａのユーザが電話番号を入力すると、端末状態問合せ部１はネゴシエーション後に端末Ｂの端末状態を問合せる（Ｓａ１）。そして、端末状態問合せ部１は、端末Ｂからの端末状態に従って、まず、接続可能か否かを判断する（Ｓａ２）。そして、接続可能であれば（Ｓａ２，はい）、ライブコミュニケーションの要求を端末Ｂに送り（Ｓａ２１）、処理をＳａ３に移し、接続不可能であれば（Ｓａ２，いいえ）、処理を終了する。
【００２５】
次に、ライブコミュニケーション切替部３は、端末状態問合せ部１を通して、あるいは、端末Ｂのライブコミュニケーション要求部８からライブコミュニケーションを指定する要求信号を受信したか否かを判断する（Ｓａ３）。そして、ライブコミュニケーション切替部３は、要求信号を受信した場合（Ｓａ３，はい）に処理をＳａ４に移行してライブコミュニケーションを行い、要求信号を受信していない場合（Ｓａ３，いいえ）に処理Ｓａ７に移行してメッセージ送信処理を行う。
【００２６】
[端末Ａのライブコミュニケーション処理]
ライブコミュニケーション送受信部４は、ライブコミュニケーション切替部３から送受信開始指令を受けると、ライブコミュニケーションを開始する。ここでは、ライブコミュニケーションは、音声の送受信により行う（Ｓａ４，Ｓａ５）。次に、ライブコミュニケーション送受信部４は、図示しない受話器が置かれたりして、ライブコミュニケーションが終了したか否かを判定する（Ｓａ６）。ライブコミュニケーション送受信部４は、終了した場合（Ｓａ６，はい）には端末Ａの処理を終了し、終了していない場合（Ｓａ６，いいえ）にはＳａ４に戻ってライブコミュニケーションを続ける。
【００２７】
[端末Ａのメッセージ送信処理]
メッセージ編集部２２は、ライブコミュニケーション切替部３からの指令により、メッセージの編集・作成処理を開始する（Ｓａ７）。その間、伝達過程送信部２１は、伝達過程を端末Ｂに送信し（Ｓａ８）、端末Ｂのユーザに伝達過程をリアルタイムで報知させる。また、メッセージ記録部２３は、メッセージの編集・作成により入力されるメッセージを随時記憶している（Ｓａ９）。
そして、メッセージ送信部２４は、メッセージ送信指令入力部２５から編集後のメッセージの送信を行うための指令の有無により編集完了か否かを判断し（Ｓａ１０）、その指令がなく、編集が終了していない場合（Ｓａ１０，いいえ）には処理をＳａ２１に戻す。これにより、メッセージの編集・作成中に、ライブコミュニケーションに移行することができる。また、メッセージ送信部２４は、その指令があり、編集が完了した場合（Ｓａ１０，はい）には、端末Ｂに編集後のメッセージを送信して（Ｓａ１１）、端末Ａの処理を終了する。
【００２８】
[端末Ｂの処理]
以下、図３に示すフローチャートに従って、図１を適宜参照しつつ端末Ｂの処理を説明する。
まず、端末Ａから接続要求が来て回線が接続すると、端末状態確認部６は、端末状態問合せに応じて、自らの端末状態を確認する（Ｓｂ１）。そして、端末状態確認部６は、端末状態を端末Ａに返送し（Ｓｂ２）、端末状態に従って接続可能か否かを判断し（Ｓｂ３）、接続可能であれば（Ｓｂ３，はい）、処理をＳｂ４に移し、接続不可能であれば（Ｓｂ３，いいえ）、処理を終了する。
【００２９】
次に、ライブコミュニケーション切替部３は、端末状態としてあらかじめ、あるいは、ライブコミュニケーション送受信要求ライブコミュニケーション要求信号が入力されているか否かを判断する（Ｓｂ４）。
【００３０】
[端末Ｂのライブコミュニケーション処理]
次に、ライブコミュニケーション要求部８は、要求信号があれば、端末Ａ側に送信し（Ｓｂ５）、ライブコミュニケーションを開始する。ここでは、ライブコミュニケーションは、音声の送受信により行う（Ｓｂ６，Ｓｂ７）。次に、ライブコミュニケーション送受信部４は、図示しない受話器が置かれたりして、ライブコミュニケーションが終了したか否かを判定する（Ｓｂ８）。ライブコミュニケーション送受信部４は、ライブコミュニケーションが終了した場合（Ｓｂ８，はい）には端末Ｂの処理を終了し、終了していない場合（Ｓａ８，いいえ）にはＳｂ６に戻ってライブコミュニケーションを続ける。
【００３１】
[端末Ｂのメッセージ受信処理]
伝達過程受信部７１は、端末Ａから送信されるメッセージを受信すると（Ｓｂ９）、伝達過程を報知する（Ｓｂ１０）。ここでは、スピーカ５２から音声出力する。次に、伝達過程受信部７１は、メッセージ受信部７２に編集終了の旨の信号が端末Ａから送信されたか否かによって、伝達過程の完了を判断する（Ｓｂ１１）。そして、伝達過程受信部７１は、伝達過程が完了すると（Ｓｂ１１，はい）、処理をＳｂ１２に移し、伝達過程が終了していなければ（Ｓｂ１１，いいえ）、Ｓｂ４に処理を戻して処理を繰り返す。このとき、ライブコミュニケーションの要求があれば（Ｓｂ４）、メッセージの受信処理からライブコミュニケーション処理に移行する（Ｓｂ４，はい）。次に、メッセージ受信部７２が、編集後のメッセージを受信すると（Ｓｂ１２）、メッセージをメッセージ記録部７３に記録し（Ｓｂ１３）、端末Ｂの処理を終了する。
【００３２】
[メッセージの再生]
なお、図４に示すように、メッセージ再生部７４は、適宜ユーザのメッセージ再生の要求の入力の有無を判断し（Ｓｃ１）、その指示があった場合（Ｓｃ１，はい）には指示に従ってメッセージを再生する（Ｓｃ２）。
以上により、この第１実施形態によれば、端末Ａと端末Ｂとの双方が相手の状況に配慮して音声によりコミュニケーションを行うことができる。
【００３３】
[第２実施形態]
この第２実施形態は、通信端末装置がいわゆるテレビ電話装置の場合である。そのため、図５に示すように、端末Ａおよび端末Ｂには、カメラ５３と、タブレット５４と、表示装置５５とが備えられている。また、端末Ａには、映像変換部２６が備えられている。この映像変換部２６は、伝達過程送信部２１が扱う伝達過程のデータを作成するものである。
【００３４】
以下、図６および図７を参照して、図５に示した映像変換部２６の機能を説明する。
まず、図６（ａ）に示すように、人Ｘの映像がカメラ５３により入力されると、映像変換部２６は映像の任意のフレームの人Ｘの輪郭を識別し、影Ｘ1として、端末Ａの表示装置５５に表示する。タブレット５４により文字情報が入力されると、文字情報（例えば、「もうすぐ、誕生日だね。プレゼントは何がほしいのかな」）を表示装置５５に表示する。メッセージ編集部２２が、文字の編集を行っているときには、伝達過程送信部２１は、端末Ａに表示されている画面と同じ画面情報を端末Ｂに伝達過程として送信する。
これにより、図６（ｂ）に示すように、端末Ｂでは、端末Ａと同じ画面を表示するため、端末ｂのユーザはリアルタイムで伝達過程を確認することができる。
【００３５】
また、ライブコミュニケーション時には、図７（ａ）に示すとおり、端末Ａの表示装置５５には、端末Ｂの人Ｙ1が表示され、また、図７（ｂ）に示すとおり、端末Ｂの表示装置５５には、端末Ａの人Ｘが表示される。そのため、リアルタイムで互いの顔等を見ながらコミュニケーションを行うことができる。
したがって、この第２実施形態によれば、第１実施形態と同様に、端末Ａと端末Ｂとの双方が相手の状況に配慮して音声・映像（動画・静止画）・文字によりコミュニケーションを行うことができる。
【００３６】
なお、第１および第２実施形態で説明した端末Ａおよび端末Ｂの通信端末装置は、一般的なコンピュータにプログラムを実行させ、コンピュータ内の演算装置や記憶装置を動作させることにより実現することができる。このプログラムは、通信回線を介して配布することも可能であるし、各種記録媒体に書き込んで配布することも可能である。
【図面の簡単な説明】
【００３７】
【図１】実施形態の通信端末装置の構成を説明する図である
【図２】図１に示した通信端末装置の送り手側の処理を説明するフローチャートである。
【図３】図１に示した通信端末装置の受け手側の処理を説明するフローチャートである。
【図４】図１に示した通信端末装置の受け手側でのメッセージ再生を説明するフローチャートである。
【図５】実施形態の他の例の通信端末装置の構成を説明する図である。
【図６】図５に示した通信端末装置におけるメッセージ送受信時の表示画面の一例を説明する図である。
【図７】図５に示した通信端末装置におけるライブコミュニケーション時の表示画面の一例を説明する図である。
【符号の説明】
【００３８】
１      端末状態問合せ部
２      メッセージ送信手段
３      ライブコミュニケーション切替部
４      ライブコミュニケーション送受信部
６      端末状態確認部
７      メッセージ受信手段
８      ライブコミュニケーション要求部
９      ライブコミュニケーション要求信号入力部
２１    伝達過程送信部
２２    メッセージ編集部
２３    メッセージ記録部
２４    メッセージ送信部
２５    メッセージ送信指令入力部
２６    映像変換部
５１    マイク
５２    スピーカ
５３    カメラ
５４    タブレット
５５    表示画面
７１    伝達過程受信部
７２    メッセージ受信部
７３    メッセージ記録部
７４    メッセージ再生部
Ａ      端末
Ｂ      端末
【図１】
2006140748.tif 000003
【図２】
2006140748.tif 000004
【図３】
2006140748.tif 000005
【図４】
2006140748.tif 000006
【図５】
2006140748.tif 000007
【図６】
2006140748.tif 000008
【図７】
2006140748.tif 000009